(57)【要約】【課題】粗塵フィルターの目詰まりを低減する電気掃除機を提供する。【解決手段】集塵ボックス４と、前記集塵ボックス４の吸気口１０に配設され気流を案内する案内パイプ１１と、吸引された粗い塵埃を捕捉する粗塵フィルター８とを備え、前記案内パイプ１１で案内された気流を調整する気流調整パイプ１２を、前記案内パイプ１１に着脱可能に設けたもので、吸引気流の流速を加速したり、より乱流を発生させ易いような別の気流調整パイプに嵌め替え可能になるので、案内パイプ１１からの気流を複数のパターンに調整可能となり、様々な環境下で使用された場合にも、粗塵フィルター８の目詰まり防止効果を発揮可能となる。【選択図】図１
2013052007.tif 000002
【特許請求の範囲】
【請求項１】
集塵ボックスと、前記集塵ボックスの吸気口に配設され気流を案内する案内パイプと、吸引された粗い塵埃を捕捉する粗塵フィルターとを備え、前記案内パイプで案内された気流を調整する気流調整パイプを、前記案内パイプに着脱可能に設けた電気掃除機。
【請求項２】
案内パイプと気流調整パイプをテーパー嵌合で容易に着脱可能とした請求項１に記載の電気掃除機。
【請求項３】
案内パイプと気流調整パイプを、爪と爪係合部とで容易に着脱可能とした請求項１に記載の電気掃除機。
【請求項４】
案内パイプと気流調整パイプの嵌合部を円形状にして、前記案内パイプと前記気流調整パイプの着脱が、捻って容易にできるようにした請求項１に記載の電気掃除機。
【発明の詳細な説明】
【技術分野】
【０００１】
本発明は、電気掃除機、特に電気掃除機の集塵ボックスに関するものである。
【背景技術】
【０００２】
従来の電気掃除機の集塵ボックスは、略円筒形状の遠心分離室を有し、その下流側に粗塵フィルターと細塵フィルターを配設する構成が主流であった。しかしながら、このような構成の集塵ボックスでは、圧力損失が大きく、吸込力を向上し難いという課題があった。
【０００３】
このような背景から、近年、集塵ボックスの吸気口に対向する位置に粗塵フィルターと細塵フィルターを直線的に配設し、集塵ボックスの圧力損失を極力低減することで吸込力を向上するタイプがあり、このようなタイプでは、特に粗塵フィルターの早期目詰まりを低減するため様々な工夫がなされており、例えば、集塵ボックスの吸気口に設けた吸込気流を案内する案内パイプに一体成形された複数の延出部と、粗塵フィルターに風受け部とを設け、吸気口から吸引された気流の一部を延出部間から分散させると共に、残りの気流を風受け部に当て上下左右に分散させ、集塵ボックス内に乱流を発生させることで、粗塵フィルターの目詰まりを低減し、集塵容量を確保するようにしたものがある（例えば、特許文献１参照）。
【先行技術文献】
【特許文献】
【０００４】
【特許文献１】特開２００８−２２９３２号公報
【発明の概要】
【発明が解決しようとする課題】
【０００５】
しかしながら、前記特許文献１に記載されたような従来の電動送風機の構成では、案内パイプの形状が固定であり、想定以上に目詰まりの多い所を掃除された場合には、想定以上に目詰まり防止効果が低減し、集塵容積が十分確保出来ないという課題を有していた。
【０００６】
本発明は、前記従来の課題を解決するもので、様々な環境下で使用された場合にも、目詰まり防止効果を発揮可能とした電気掃除機を提供することを目的とする。
【課題を解決するための手段】
【０００７】
前記従来の課題を解決するために、本発明の電気掃除機は、集塵ボックスと、前記集塵ボックスの吸気口に配設され気流を案内する案内パイプと、吸引された粗い塵埃を捕捉する粗塵フィルターとを備え、前記案内パイプで案内された気流を調整する気流調整パイプを、前記案内パイプに着脱可能に設けたもので、吸引気流の流速を加速したり、より乱流を発生させ易いような別の気流調整パイプに嵌め替え可能になるので、案内パイプからの気流を複数のパターンに調整可能となり、様々な環境下で使用された場合にも、粗塵フィルターの目詰まり防止効果を発揮可能となる。
【０００８】
また、気流調整パイプを着脱可能にする手段は色々考えられるが、掃除機本体との気密性を確保する集塵ボックスのタイト面を残した状態で案内パイプに気流調整パイプを着脱自在とすることにより、案内パイプと気流調整パイプの嵌合部には気密性を確保するパッキン等も不要となり、着脱構成をシンプルにすることが可能となる。
【発明の効果】
【０００９】
本発明の電気掃除機は、案内パイプに気流調整パイプを着脱可能とするというシンプルな構成で、様々な使用環境下で目詰まり防止効果を発揮出来る。
【図面の簡単な説明】
【００１０】
【図１】本発明の実施の形態１における電気掃除機の掃除機本体の要部断面図
【図２】図１のＡ部拡大図
【図３】本発明の実施の形態２における電気掃除機の要部拡大断面図
【図４】本発明の実施の形態３における電気掃除機の要部拡大断面図
【発明を実施するための形態】
【００１１】
第１の発明は、集塵ボックスと、前記集塵ボックスの吸気口に配設され気流を案内する案内パイプと、吸引された粗い塵埃を捕捉する粗塵フィルターとを備え、前記案内パイプで案内された気流を調整する気流調整パイプを、前記案内パイプに着脱可能に設けたもので、吸引気流の流速を加速したり、より乱流を発生させ易いような別の気流調整パイプに嵌め替え可能になるので、案内パイプからの気流を複数のパターンに調整可能となり、様々な環境下で使用された場合にも、粗塵フィルターの目詰まり防止効果を発揮可能となる。
【００１２】
また、気流調整パイプを着脱可能にする手段は色々考えられるが、掃除機本体との気密性を確保する集塵ボックスのタイト面を残した状態で案内パイプに気流調整パイプを着脱自在とすることにより、案内パイプと気流調整パイプの嵌合部には気密性を確保するパッキン等も不要となり、着脱構成をシンプルにすることが可能となる。
【００１３】
第２の発明は、特に、第１の発明の案内パイプと気流調整パイプをテーパー嵌合で容易に着脱可能としたもので、シンプルかつ着脱が容易な構成で着脱が可能となり、安価かつ使用性の良い着脱構成と出来ると共に、案内パイプにおいても、案内パイプのテーパー形状で案内パイプを通過する吸引気流の流速調整が可能となり、粗塵フィルターの目詰まりを低減することが出来る。
【００１４】
第３の発明は、特に、第１の発明の案内パイプと気流調整パイプを、爪と爪係合部とで容易に着脱可能としたもので、シンプルかつ着脱が比較的容易な構成で着脱が可能となり、安価かつ使用性の良い着脱構成と出来ると共に、爪係合部に細塵が入り込んだ場合にも着脱操作性が大きく低下することはなく、さらに着脱を繰り返しても案内パイプと気流調整パイプの合わせ面が磨耗して両パイプ間での気密性が崩れることにより吸引気流が乱れることも防止可能となり、着脱構成の信頼性を向上出来る。
【００１５】
第４の発明は、特に、特に、第１の発明の案内パイプと気流調整パイプの嵌合部を円形状にして、前記案内パイプと前記気流調整パイプの着脱が、捻って容易にできるようにしたもので、シンプルかつ着脱が比較的容易な構成で着脱が可能となり、安価かつ使用性の良い着脱構成と出来ると共に、通常集塵ボックスの吸気口が円形状であるため、吸気口と案内パイプと気流調整パイプの嵌合部を滑らかにつないだ形状に構成可能となり、圧力損失の低減による吸引気流の流速低下による粗塵フィルターのさらなる目詰まり低減と吸気騒音を低減出来る。
【００１６】
以下、本発明の実施の形態について、図面を参照しながら説明する。なお、この実施の形態によって本発明が限定されるものではない。
【００１７】
（実施の形態１）
図１は、本発明の実施の形態１における電気掃除機の掃除機本体の要部断面図、図２は、図１のＡ部拡大図である。
【００１８】
図１において、本実施の形態における電気掃除機の掃除機本体１は、吸込口体（図示せず）と延長管（図示せず）と連通するホース（図示せず）が接続され、前部に、ホースと連通する吸引口２、後部に電動送風機３、吸引口２と電動送風機３との間に、集塵ボックス４を収納する集塵ボックス収納部５をそれぞれ有している。また、集塵ボックス４は、塵埃を溜める後方開口の集塵室６と、平板状の風受け部７を有すると共に集塵室６の後方開口を覆い吸引された粗い塵埃を捕捉する粗塵フィルター８と、細かい塵埃を捕捉するプリーツ状の細塵フィルター９を有している。
【００１９】
図２に示すように、集塵ボックス４の吸気口１０には、吸引口２と連通し、気流を粗塵フィルター８の風受け部７に案内する案内パイプ１１が一体に形成されている。ここで、案内パイプ１１は、テーパー状に形成されており、案内パイプ１１の先端には、案内パイプ１１に案内された気流の流速を加速するように絞られたテーパー形状の気流調整パイプ１２がテーパー嵌合で容易に着脱自在に嵌合されている。
【００２０】
以上のように構成された本実施の形態における電気掃除機について、その動作、作用を説明する。
【００２１】
まず、掃除機本体１が運転状態になると、電動送風機３からの吸引力により、床面の塵埃が吸込口体、延長管、ホースを介して集塵ボックス４の集塵室６に吸引される。集塵室６に塵埃が吸引される際、塵埃を含む吸引気流は、集塵ボックス４の吸気口１０から流入し、案内パイプ１１に案内され、案内パイプ１１のテーパー形状で一旦加速された後、気流調整パイプ１２で流速をさらに加速され、粗塵フィルター８の風受け部７に衝突する。その後、今度は、上方に方向転換され、粗塵フィルター８の表面に堆積した塵埃をクリーニングしながら、集塵室６の上面にぶつかり、その後旋回気流となって吸引気流中の粗塵が粗塵フィルター８で捕捉され、集塵室６内に堆積する。
【００２２】
粗塵フィルター８を通過した細塵は、細塵フィルター９で捕捉され、細塵フィルター９及び粗塵フィルター８と細塵フィルター９の間の空間に堆積する。
【００２３】
以上のように、本実施の形態１においては、案内パイプ１１をテーパー形状にすることで、吸引気流の流速を案内パイプ１１で一旦加速調整することが可能となり、さらに気流調整パイプ１２で流速をさらに加速調整することにより、粗塵フィルター８の表面を流れる気流の流速を加速し、粗塵フィルター８の表面のクリーニング性能を向上させることが可能となり、目詰まりを低減することが出来る。
【００２４】
また、目詰まりの多い所を掃除する場合には、流速の加速具合を増やすよう、絞り量を増やした別の気流調整パイプ１２に交換することで、そのような場所を掃除する場合でも、目詰まりを低減することが可能となり、快適に掃除を続けることが出来る。
【００２５】
また、案内パイプ１１と気流調整パイプ１２をテーパー嵌合とすることで、シンプルかつ着脱が容易な構成で着脱が可能となり、安価かつ使用性の良い着脱構成と出来る。
【００２６】
なお、本実施の形態による構成は、吸引気流を略円筒形状の集塵ボックスや、粗塵フィルターの略接線方向に流しながら粗塵フィルターの目詰まりを防止すような遠心分離タイプの電気掃除機の案内パイプに対しても適用出来ることは言うまでもない。
【００２７】
（実施の形態２）
本発明の第２の実施の形態における電気掃除機について、図３を用いて説明する。図３は、本実施の形態における電気掃除機の要部拡大断面図である。なお、上記実施の形態１
における電気掃除機と同一部分については、同一符号を付してその説明を省略する。
【００２８】
図３に示すように、本実施の形態における電気掃除機は、案内パイプ１１の気流調整パイプ１２との嵌合部外周には、凸状爪部１３を設けると共に、気流調整パイプ１２の案内パイプ１１との嵌合部には、弾性変形可能な爪係合部１４を設けて、案内パイプ１１と気流調整パイプ１２が、凸状爪部１３と爪係合部１４で着脱自在に嵌合されるようにしたものである。
【００２９】
以上のように、本実施の形態における電気掃除機によれば、気流調整パイプ１２で吸引された気流を加速調整することで粗塵フィルター８の表面のクリーニング性能を向上させることが可能となり、目詰まりを低減することが出来る共に、その着脱手段として、案内パイプ１１と気流調整パイプ１２を、凸状爪部１３と爪係合部１４で構成することで、シンプルかつ着脱が比較的容易な構成で、着脱が可能となり、安価かつ使用性の良い着脱構成と出来ると共に、爪係合部１４に細塵が入り込んだ場合にも着脱操作性が大きく低下することはなく、さらに着脱を繰り返しても案内パイプ１１と気流調整パイプ１２の合わせ面が磨耗して両パイプ間での気密性が崩れることにより吸引気流が乱れることも防止可能となり、着脱構成の信頼性が大幅に向上する。
【００３０】
（実施の形態３）
本発明の第３の実施の形態における電気掃除機について、図４を用いて説明する。図４は、本実施の形態における電気掃除機の要部拡大断面図である。なお、上記実施の形態１、２における電気掃除機と同一部分については、同一符号を付してその説明を省略する。
【００３１】
図４に示すように、本実施の形態における電気掃除機は、案内パイプ１１と気流調整パイプ１２の嵌合部を円形状に形成した上で、案内パイプ１１の気流調整パイプ１２との嵌合部外周には、嵌合突起１５を有した嵌合凸部１６を設けると共に、気流調整パイプ１２の案内パイプ１１との嵌合部内面には、嵌合凸部１６が嵌り込み回転方向と前後方向の位置決めを可能とする位置決め溝部１７と、気流調整パイプ１２の抜きに対して開口となる開口部１８を有した柄杓状凹部１９を設けており、案内パイプ１１と気流調整パイプ１２は、嵌合凸部１６と位置決め溝部１７で着脱自在に嵌合されている。
【００３２】
本実施の形態における電気掃除機は、以上のように構成されているので、気流調整パイプ１２で、吸引された気流を加速調整することで粗塵フィルター８の表面のクリーニング性能を向上させることが可能となり、目詰まりを低減することが出来ると共に、その着脱手段として、案内パイプ１１と気流調整パイプ１２を、嵌合凸部１６と位置決め溝部１７で、捻って着脱可能な構成とすることで、シンプルかつ着脱が比較的容易な構成で着脱が可能となり、安価かつ使用性の良い着脱構成と出来ると共に、通常、集塵ボックス４の吸気口１０が円形状であるため、吸気口１０と案内パイプ１１と気流調整パイプ１２の嵌合部を滑らかにつないだ形状に構成可能となり、圧力損失の低減による吸引気流の流速低下による粗塵フィルター８のさらなる目詰まり低減と吸気騒音を低減出来る。
【産業上の利用可能性】
【００３３】
以上のように、本発明にかかる電気掃除機は、様々な環境下で使用された場合にもシンプルな構成で、粗塵フィルターの目詰まりを低減し、使い勝手を向上出来るので、家庭、業務用の電気掃除機に有用である。
【符号の説明】
【００３４】
１  掃除機本体
４  集塵ボックス
８  粗塵フィルター
１０  吸気口
１１  案内パイプ
１２  気流調整パイプ
１３  凸状爪部（爪）
１４  爪係合部
【図１】
2013052007.tif 000003
【図２】
2013052007.tif 000004
【図３】
2013052007.tif 000005
【図４】
2013052007.tif 000006